(57)【要約】【課題】椅子の足元からの暖気の逃げを防止する。【解決手段】シートクッション１０は、椅子１００の座部１０１上に載置されるクッション部１と、その一端がクッション部１に着脱可能に連結され、座部１０１から椅子１００が設置されている面２００に向かって垂れ下がり、椅子１００の脚部１０２間の少なくとも一部を閉塞する閉塞体２と、を備えている。【選択図】図１
2020048972.tif 000002
【特許請求の範囲】
【請求項１】
椅子の座部上に載置されるクッション部と、
その一端が上記クッション部に着脱可能に連結され、上記座部から上記椅子が設置されている面に向かって垂れ下がり、上記椅子の脚部間の少なくとも一部を閉塞する閉塞体と
を備えていることを特徴とするシートクッション。
【請求項２】
上記クッション部の座面に背向する面において椅子の前方に位置する側に、椅子の前方から後方に向かう方向に複数配列するように設けられたクッション部側連結部と、
上記閉塞体の上記一端に設けられ、上記クッション部側連結部に連結される閉塞体側連結部と、
をさらに備えていることを特徴とする請求項１に記載のシートクッション。
【請求項３】
上記クッション部の座面と上記閉塞体の上記脚部間を閉塞する面とは、略同一形状であることを特徴とする請求項１又は２に記載のシートクッション。
【請求項４】
上記閉塞体の上記一端に対向する端部に重りが設けられていることを特徴とする請求項１から３のいずれか１項に記載のシートクッション。
【発明の詳細な説明】
【技術分野】
【０００１】
本発明はシートクッションに関する。
【背景技術】
【０００２】
ダイニングテーブルにこたつ用のヒーターユニットを備えるダイニングこたつでは、椅子の下側から暖気が外部に逃げるのを防ぐために、通常、専用の椅子が用いられている。このようなこたつ用の椅子として特許文献１〜３に記載されたものが従来技術として知られている。
【先行技術文献】
【特許文献】
【０００３】
【特許文献１】特開２００６−６１２１０号公報（２００６年３月９日公開）
【特許文献２】特開２００９−１１８９０５号公報（２００９年６月４日）
【特許文献３】登録実用新案３１６０９７９号公報（２０１０年７月１５日発行）
【発明の概要】
【発明が解決しようとする課題】
【０００４】
通常のテーブルで使用される椅子は、上述したように、座部の下側から暖気が逃げてしまうため、ダイニングこたつでの使用に適していない。したがって、ダイニングこたつを使用する際には、特許文献１〜３に記載されたような専用の椅子が別途必要になる。その結果、ダイニングこたつの導入コストが高くなり、ダイニングこたつの普及の妨げとなっている。
【０００５】
本発明の一態様は、ダイニングこたつで使用される椅子において、座部の下側からの暖気の逃げの防止を、低コストで実現することを目的とする。
【課題を解決するための手段】
【０００６】
上記の課題を解決するために、本発明の一態様に係るシートクッションは、椅子の座部上に載置されるクッション部と、その一端が上記クッション部に着脱可能に連結され、上記座部から上記椅子が設置されている面に向かって垂れ下がり、上記椅子の脚部間の少なくとも一部を閉塞する閉塞体と、を備えている。
【発明の効果】
【０００７】
本発明の一態様によれば、シートクッションを通常の椅子に載置するのみで、座部の下側からの暖気の逃げを防ぐことができるので、ダイニングこたつ専用の椅子を用意する必要がなく、椅子の下側からの暖気の逃げの防止を低コストで実現することができる。
【図面の簡単な説明】
【０００８】
【図１】本発明の一実施形態に係るシートクッションの使用状態を説明する図である。
【図２】本発明の一実施形態に係るシートクッションを折り畳んだ状態を示す図である。
【図３】本発明の一実施形態に係るシートクッションの正面図である。
【図４】本発明の一実施形態に係るシートクッションの背面図である。
【図５】本発明の一実施形態に係るシートクッションの上面図である。
【図６】本発明の一実施形態に係るシートクッションの底面図である。
【図７】本発明の一実施形態に係るシートクッションの側面図である。
【発明を実施するための形態】
【０００９】
以下、本発明の一実施形態について、図１〜７を参照して説明する。図１は、本発明の一実施形態に係るシートクッションの使用状態を説明する図であり、図２は、本発明の一実施形態に係るシートクッションを折り畳んだ状態を示す図である。図３は、本発明の一実施形態に係るシートクッションの正面図であり、図４は、本発明の一実施形態に係るシートクッションの背面図である。図５は、本発明の一実施形態に係るシートクッションの上面図であり、図６は、本発明の一実施形態に係るシートクッションの底面図であり、図７は、本発明の一実施形態に係るシートクッションの側面図である。なお、図７は、シートクッションの右側面図である。シートクッションの左側面図は、右側面図と対称に表れるため、省略する。
【００１０】
図１中（ａ）は、シートクッション１０を椅子１００の座部１０１上に載置した状態を示している。図１中（ａ）に示すように、シートクッション１０は、ダイニングテーブルで使用されるダイニングチェアのように、通常のテーブルで使用される椅子１００の座部１０１上に載置して使用される。図１〜７に示すように、シートクッション１０は、クッション部１と閉塞体２とを備えている。
【００１１】
クッション部１は、椅子１００の座部１０１上に載置されるものである。クッション部１は、クッション材にカバーをかけたものであってもよい。クッション部１で使用するクッション材として、例えば、ウレタン、綿等が挙げられる。クッション部１のカバーは布地を袋状にしたものであり、クッション材を出し入れ可能になっていることが好ましい。クッション部１は、座部１０１からはみ出さない形状及び大きさであることが好ましいが、特に限定されず、四角形、丸のような種々の形状や大きさであり得る。
【００１２】
閉塞体２は、その一端がクッション部１に着脱可能に連結されている。これにより、クッション部１において閉塞体２が連結された側が椅子１００の前方側になるように座部１０１上にクッション部１を載置した場合に、閉塞体２は、座部１０１から椅子１００が設置されている面２００（床面等）に向かって垂れ下がる。例えば、閉塞体２は、座部１０１から鉛直方向に垂れ下がっていてもよいし、椅子１００の脚部１０２が座部１０１よりも前方に突き出すように湾曲していれば、脚部１０２に沿って湾曲して垂れ下がっていてもよい。これにより、椅子１００の前方側の脚部１０２間の少なくとも一部が閉塞体２により閉塞される。その結果、垂れ下がった閉塞体２により椅子１００の下側の脚部１０２間のすき間からの暖気の逃げが防止される。
【００１３】
閉塞体２は、クッション部１において椅子１００の背もたれ１０３側に位置する端部以外の部分、すなわち、クッション部１において椅子１００の前面側及び両側面側になる部分のそれぞれに設けられていてもよい。これにより、椅子の下側からの暖気の逃げをより効率よく防ぐことができる。
【００１４】
閉塞体２は、座部１０１から床までの空間の少なくとも一部を閉塞する長さであり、隣接する脚部１０２間の少なくとも一部を閉塞する幅であればよい。より好ましくは、閉塞体２は、座部１０１から床までの空間全体を閉塞する長さであり、隣接する脚部１０２間の全体を閉塞する幅である。すなわち、閉塞体２の長さが座部１０１の下面から床面（面２００）までの長さと同一であり、閉塞体２の幅が隣接する脚部１０２間の距離と同一であることがより好ましい。閉塞体２は、座部１０１から床までの空間の少なくとも一部を閉塞し、隣接する脚部１０２間の少なくとも一部を閉塞できる形状及び大きさであればよく、特に限定されないが、正方形、長方形のような種々の形状や大きさであり得る。
【００１５】
閉塞体２は、暖気の逃げを防ぐことができる通気性の低い布地であることが好ましいが、合成樹脂製シートであってもよい。シートクッション１０を通常のテーブルで使用する場合や、ダイニングこたつのヒーターを使用せずに通常のテーブルとして使用する場合には、閉塞体２とクッション部１との連結部分でシートクッション１０を折り畳み、閉塞体２をクッション部１の下側に折り込んで使用してもよい。閉塞体２は、クッション部１の下側に折り込みやすいように芯材を有していないことが好ましい。
【００１６】
シートクッション１０は、椅子に載置するのみで椅子の下側からの暖気の逃げを防止することができるので、通常の椅子をダイニングこたつに適した椅子にすることができる。したがって、ダイニングこたつを使用する際に、ダイニングこたつ専用の椅子を購入する必要はなく、既存の椅子を用いることもできる。すなわち、シートクッション１０によれば、ダイニングこたつ専用の椅子を用意する必要がなく、椅子の下側からの暖気の逃げの防止を低コストで実現することができる。
【００１７】
図１中（ｂ）は、クッション部１と閉塞体２との連結状態を示している。クッション部１の座面に背向する面、すなわち、クッション部１の裏面には、クッション部側連結部３ａが設けられている。クッション部側連結部３ａは、クッション部１の裏面の一端に設けられており、具体的には、椅子１００に載置した際に椅子１００の前方に位置する側に設けられている。閉塞体２の一端、具体的には、シートクッション１０を椅子１００に載置した場合の上端には、閉塞体側連結部３ｂが設けられている。
【００１８】
クッション部側連結部３ａと閉塞体側連結部３ｂとは、着脱可能に連結される。クッション部側連結部３ａと閉塞体側連結部３ｂとが着脱可能であることによって、シートクッション１０をダイニングこたつで使用しない場合やヒーターを使用しない夏季には、閉塞体２をクッション部１から取り外して、クッション部１のみで使用することができる。クッション部側連結部３ａ及び閉塞体側連結部３ｂは、面ファスナー、線ファスナー、ボタン等であってもよい。クッション部側連結部３ａ及び閉塞体側連結部３ｂは、シートクッション１０が椅子１００に載置された場合の座部１０１の左右方向、すなわち座部１０１の幅方向に連続して設けられていることが好ましい。
【００１９】
クッション部側連結部３ａは、シートクッション１０を椅子１００に載置した場合に、クッション部１の裏面において椅子１００の前方に位置する側に、椅子１００の前方から後方に向かう方向、すなわち座部１０１の奥行き方向に複数配列するように設けられていてもよい。ここで、椅子１００の後方とは、椅子１００の背もたれ１０３が設けられた側であり、椅子１００の前方に対向する側である。図１中（ｂ）では、座部１０１の幅方向に連続したクッション部側連結部３ａが、座部１０１の奥行き方向に２本配列して設けられている構成を例として示している。
【００２０】
クッション部側連結部３ａが座部１０１の奥行き方向に複数配列して設けられていることによって、閉塞体側連結部３ｂを連結させるクッション部側連結部３ａを複数から選択することができる。これにより、座部１０１から垂れ下がる閉塞体２の長さを調整することができる。すなわち、座部１０１の奥行き方向の前方側のクッション部側連結部３ａに閉塞体側連結部３ｂを連結すれば、閉塞体２をより長く座部１０１から垂れ下げることができる。また、座部１０１の奥行き方向の後方側のクッション部側連結部３ａに閉塞体側連結部３ｂを連結すれば、閉塞体２をより短く座部１０１から垂れ下げることができる。したがって、シートクッション１０を様々な高さの椅子１００に対応させることが可能である。
【００２１】
なお、閉塞体２において、クッション部１に連結された一端に対向する端部、すなわち下端部に、下端部を折り曲げた状態を維持する止着部材を設けてもよい。これにより、閉塞体２を折り曲げることで座部１０１から垂れ下がる閉塞体２の長さを調整してもよい。
【００２２】
クッション部１の座面と閉塞体２の脚部１０２間を閉塞する面とは、略同一形状であることが好ましい。これにより、図２に示すように閉塞体２を折り畳んで使用する場合に、閉塞体２がクッション部１よりも外側に飛び出さず、すっきりとした外観を実現することができる。なお、図２は、閉塞体２がクッション部１の上側に重なるように折り畳んだ状態を示している。
【００２３】
シートクッション１０は、閉塞体２を折り畳んでクッション部１の下側に折り込んで使用することもできる。すなわち、シートクッション１０は、閉塞体２が上側になるように座部１０１上に載置し、ユーザが閉塞体２に対して直接座るように使用してもよいし、閉塞体２をクッション部１の下側に折り込んで使用してもよい。このようにシートクッション１０は、閉塞体２を折り畳んだ状態で、クッション部１側と閉塞体２側との上下両面を座面として使用することができる。例えば、クッション部１上に折り畳まれた閉塞体２側を座面として使用する場合には、食べこぼし等の汚れが発生しても、閉塞体２は取り外し可能なため、閉塞体２のみを交換又は洗浄することができ、結果として、シートクッション１０の汚れ防止となる。
【００２４】
図１中（ａ）に示すように、閉塞体２の下端部には、重り４が設けられていてもよい。閉塞体２の下端部に重り４が設けられていることによって、閉塞体が座部１０１から垂れ下がった状態が維持され、閉塞体２が不必要にめくれ上がるのを防ぐことができる。重り４としては、閉塞体２の下端部の幅方向に連続して配置されるように、コード状、チェーン状等の長い形状の重りを用いることが好ましい。また、閉塞体２をクッション部１の下に折り込んで使用する場合に邪魔にならないように、重り４はシート状であってもよい。
【００２５】
シートクッション１０は、主にダイニングテーブルにこたつ用のヒーターユニットを備えるダイニングこたつと共に用いられる椅子１００の座部１０１上に載置して用いられるものであり、クッション部１に連結された布地や樹脂性のシート状の閉塞体２が椅子１００の座部１０１から椅子１００が設置されている面に向かってに垂れ下がることにより、こたつ内部の暖気の逃げを抑制することができる。また、クッション部１と閉塞体２とを、例えば面ファスナーのような連結部により連結することにより、閉塞体２とクッション部１とを着脱可能に連結し、ダイニングこたつにおいて使用しない場合やヒーターを使用しない夏季には、クッション部１から閉塞体２を取り外して使用することができる。
【００２６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００２７】
１      クッション部
２      閉塞体
３ａ    クッション部側連結部
３ｂ    閉塞体側連結部
４      重り
１０    シートクッション
１００  椅子
１０１  座部
１０２  脚部
２００  面（床面）
【図１】
2020048972.tif 000003
【図２】
2020048972.tif 000004
【図３】
2020048972.tif 000005
【図４】
2020048972.tif 000006
【図５】
2020048972.tif 000007
【図６】
2020048972.tif 000008
【図７】
2020048972.tif 000009